(57)【特許請求の範囲】
【請求項１】
用紙の両面に文書データが２ページ分ずつ印刷された用紙が束にされて半分に折って綴じられたときに前記文書データの冊子となり、該冊子のときと同じ順番に重ねられた状態の複数の用紙を、該複数の用紙の一方から、各用紙の表面、裏面の順番で、該用紙の両面に印刷された前記２ページ分の文書データを読み取る画像データ読取手段と、
前記画像データ読取手段で読み取られた２ページ分の文書データを１ページ分の文章データに分割する分割手段と、
画像データ読取手段で最初に読み取られ、前記分割手段により分割された２ページ分の文書データと、前記画像データ読取手段で最後に読み取られ、前記分割手段により分割された２ページ分の文書データとを表示する表示手段と、
前記表示手段で表示された文書データに応じた操作者の操作に基づいて、前記文書データの１ページ目となる文書データの選択を受け付ける受付手段と、
前記受付手段で受け付けられた１ページ目となる前記文書データに基づいて、前記分割手段で分割された文章データを前記文書データのページ順と同じ順番に並べ替える並べ替え手段と
を備える画像読取装置。
【請求項２】
前記並べ替え手段は、
前記受付手段で選択が受け付けられた文書データの１ページ目となる画像データに基づいて、前記原稿が左綴じ原稿か右綴じ原稿かを判別し、
前記受付手段で選択が受け付けられた文書データの１ページ目となる画像データに基づいて、前記画像データ読取手段で最初に読み取られた用紙の面の画像データが前記文章データの最初のページに対応するか、前記画像データ読取手段で最初に読み取られた用紙の面の画像データが前記文章データの最後のページに対応するかを判別し、この判別の結果に基づいて前記並べ替えを行う
請求項１記載の画像読取装置。
【請求項３】
前記表示手段は、前記分割手段で分割された文書データを、前記画像データ読取手段で読み取られた順に左側から横に並べて表示し、
前記並べ替え手段は、前記受付手段で選択が受け付けられた画像データが、前記表示手段で表示された画像データにおいて右側に位置している場合には、前記原稿が左綴じ原稿であると判別し、前記受付手段で選択が受け付けられた画像データが、前記表示手段で表示された画像データにおいて左側に位置している場合には、前記原稿が右綴じ原稿であると判別する
請求項２記載の画像読取装置。
【請求項４】
前記分割手段は、更に、前記分割された画像データに対して、前記画像データ読取手段で読み取られた順番に仮ページ番号を付与し、
前記分割手段で分割された画像データを前記文書データのページ順と同じ順番に並べ替える為の仮ページ番号の順番を記憶する記憶手段
を更に具備し、
前記並べ替え手段は、前記文書データの総ページ数と前記受付手段で受け付けられた画像データに付与された仮ページ番号とに基づいて前記記憶手段に記憶する仮ページ番号の順番を取得し、前記画像データに付与された仮ページ番号を、前記取得された仮ページ番号の順番と同じになるように、前記分割手段で分割された画像データを並べ替える
請求項１記載の画像読取装置。
【請求項５】
前記記憶手段に記憶される仮ページ番号の順番は、前記文書データの総ページ数と前記受付手段で受付ける画像データに付与された仮ページ番号とに応じて記憶される
請求項４記載の画像読取装置。
【請求項６】
コンピュータを、
用紙の両面に文書データが２ページ分ずつ印刷された用紙が束にされて半分に折って綴じられたときに前記文書データの冊子となり、該冊子のときと同じ順番に重ねられた状態の複数の用紙を、該複数の用紙の一方から、各用紙の表面、裏面の順番で、該用紙の両面に印刷された前記２ページ分の文書データを読み取る画像データ読取手段、
前記画像データ読取手段で読み取られた２ページ分の文書データを１ページ分の文章データに分割する分割手段、
画像データ読取手段で最初に読み取られ、前記分割手段により分割された２ページ分の文書データと、前記画像データ読取手段で最後に読み取られ、前記分割手段により分割された２ページ分の文書データとを表示する表示手段と、
前記表示手段で表示された文書データに応じた操作者の操作に基づいて、前記文書データの１ページ目となる文書データの選択を受け付ける受付手段と、
前記受付手段で受け付けられた１ページ目となる前記文書データに基づいて、前記分割手段で分割された文章データを前記文書データのページ順と同じ順番に並べ替える並べ替え手段
として機能させるための画像読取プログラム。
【発明の詳細な説明】
【技術分野】
【０００１】
本発明は、画像読取装置および画像読取プログラムに関する。
【背景技術】
【０００２】
従来より電子的な文書データを印刷させる手法として、製本印刷（製本モード）と呼ばれる手法が存在する。
【０００３】
製本印刷では、文書データを印刷用紙の表と裏に各々２ページ分の画像データを配置して印刷が行われる。
【０００４】
そして、印刷出力された用紙を中央から２つに折ると、本をめくるようにして文書データを順番に見ることができる。
【０００５】
それで、電子的な文書データを本のように冊子にする目的で印刷したいときに製本印刷が行われる。
【０００６】
そして、このような製本印刷で印刷された用紙をスキャニングして、スキャンした用紙面の２ページ分の画像データを分割してページ毎の画像データを取得する技術が存在する。
【０００７】
特許文献１には、製本印刷された原稿の画像データを読み取るスキャナ部と、画像データを分割するページ分割機能とそのページを再配列するページ再配列機能とを備えた画像処理部とを備えて、原稿の表紙面からスキャンされることを前提にして、左綴じ原稿と右綴じ原稿との場合に応じて、ページの並べ替えを行って、製本印刷された原稿をスキャナで読み取って正しいページ順序で出力する画像形成装置及びプログラムが提案されている。
【０００８】
また、特許文献２には、製本された印刷文書には製本文書特有の折り目が必ずついていることを前提に、印刷文書のスキャン情報から印刷文書の製本跡を検出する製本跡検出手段と、印刷文書のスキャン情報と検出された製本跡から印刷文書のレイアウト構成を認識するレイアウト構成認識手段と、レイアウト構成認識手段で認識したレイアウトと、外部から入力された印刷指定とを合わせて、文書をページ毎に保存するページレイアウト自動保持手段を用い、ドキュメント検出を行い、所望の方法で印刷を実施する印刷装置および印刷処理方法が提案されている。
【先行技術文献】
【特許文献】
【０００９】
【特許文献１】特開２００７−３２４７３９号公報
【特許文献２】特開２００６−２４５７４７号公報
【発明の概要】
【発明が解決しようとする課題】
【００１０】
この発明は、原稿が左綴じで製本印刷されたものか右綴じで製本印刷されたものかがユーザに意識されず、さらに、ユーザが原稿をセットする向きが表紙面からスキャンされる向きか或いは裏紙面からスキャンされる向きかが意識されず、ユーザは原稿の１ページ目を指定することで製本印刷された原稿からページ毎の画像データをページ順に取得することができる画像読取装置および画像読取プログラムを提供することを目的とする。
【課題を解決するための手段】
【００１１】
上記目的を達成する為に、請求項１の発明の画像読取装置は、用紙を半分に折って綴じることにより文書データの冊子を作成することができるように印刷された前記用紙である原稿の配置を受け付け、配置された前記原稿の画像データを読み取る画像データ読取手段と、前記画像データ読取手段で読み取った画像データを、前記文書データのページ毎の画像データが取得できるように、２ページに分割する分割手段と、前記画像データ読取手段で配置された前記原稿から最初に読み取った画像データより前記分割手段で分割された２ページの画像データと、前記画像データ読取手段で配置された前記原稿から最後に読み取った画像データより前記分割手段で分割された２ページの画像データとを表示する表示手段と、前記表示手段で表示した画像データから、前記文書データの１ページ目となる画像データの選択を操作者より受付ける受付手段と、前記受付手段で受付けた前記文書データの１ページ目となる画像データに基づき、前記分割手段で分割された画像データを、前記文書データのページ順と同じ順番に並べ替える並べ替え手段とを備えるように構成される。
【００１２】
また、請求項２の発明は、請求項１の発明において、前記並べ替え手段は、前記受付手段で受付けた前記文書データの１ページ目となる画像データに基づき前記原稿が左綴じ原稿か右綴じ原稿かの判別の結果、及び、前記受付手段で受付けた前記文書データの１ページ目となる画像データに基づき、前記画像データ読取手段における前記原稿の配置は、前記文書データの１ページ目が最初に読み取られるような配置か或いは前記文書データの１ページ目が最後に読み取られるような配置かの判別の結果に基づいて前記並べ替えを行うように構成される。
【００１３】
また、請求項３の発明は、請求項２の発明において、前記並べ替え手段は、前記受付手段で受付けた画像データが、前記画像データ読取手段で読み取った画像データの右側に位置している場合には、前記原稿が左綴じ原稿であると判別し、前記受付手段で受付けた画像データが、前記画像データ読取手段で読み取った画像データの左側に位置している場合には、前記原稿が右綴じ原稿であると判別するように構成される。
【００１４】
また、請求項４の発明は、請求項１の発明において、前記分割手段は、分割した画像データに対して、前記画像データ読取手段で画像を読み取った順番に仮ページ番号を付与する仮ページ番号付与手段を備え、前記分割手段で分割された画像データを前記文書データのページ順と同じ順番に並べ替える為の仮ページ番号の順番を記憶する記憶手段を更に具備し、前記並べ替え手段は、前記文書データの総ページ数と前記受付手段で受付けた画像データに付与された仮ページ番号とに基づき前記記憶手段に記憶する仮ページ番号の順番を取得し、仮ページ番号付与手段で前記画像データに付与された仮ページ番号を、取得した該仮ページ番号の順番と同じになるように、前記分割手段で分割された画像データを並べ替えるように構成される。
【００１５】
また、請求項５の発明は、請求項４の発明において、前記記憶手段に記憶される仮ページ番号の順番は、前記文書データの総ページ数と前記受付手段で受付ける画像データに付与された仮ページ番号とに応じて記憶されるように構成される。
【００１６】
また、請求項６の発明の画像読取プログラムは、コンピュータを、用紙を半分に折って綴じることにより文書データの冊子を作成することができるように印刷された前記用紙である原稿の配置を受け付け、配置された前記原稿の画像データを読み取る画像データ読取手段、前記画像データ読取手段で読み取った画像データを、前記文書データのページ毎の画像データが取得できるように、２ページに分割する分割手段、前記画像データ読取手段で配置された前記原稿から最初に読み取った画像データより前記分割手段で分割された２ページの画像データと、前記画像データ読取手段で配置された前記原稿から最後に読み取った画像データより前記分割手段で分割された２ページの画像データとを表示する表示手段、前記表示手段で表示した画像データから、前記文書データの１ページ目となる画像データを操作者より受付ける受付手段、前記受付手段で受付けた前記文書データの１ページ目となる画像データに基づき、前記分割手段で分割された画像データを、前記文書データのページ順と同じ順番に並べ替える並べ替え手段として機能させる。
【発明の効果】
【００１７】
請求項１の発明によれば、製本印刷で印刷された原稿用紙を読み取ったときに１回の選択により、原稿の右綴じ、左綴じ、そして、原稿の読み取り装置への配置が判別され、原稿の画像データを正しいページ順で取得できるという効果を奏する。
【００１８】
請求項２の発明によれば、製本印刷で印刷された原稿用紙を読み取ったときに１回の選択により、原稿の右綴じ、左綴じ、そして、原稿の読み取り装置への配置が判別され、原稿の画像データを正しいページ順で取得できるという効果を奏する。
【００１９】
請求項３の発明によれば、製本印刷で印刷された原稿用紙を読み取ったときに１回の選択により、原稿の右綴じ、左綴じ、そして、原稿の読み取り装置への配置が判別され、原稿の画像データを正しいページ順で取得できるという効果を奏する。
【００２０】
請求項４の発明によれば、製本印刷で印刷された原稿用紙を読み取ったときに１回の選択により、原稿の右綴じ、左綴じ、そして、原稿の読み取り装置への配置が判別され、原稿の画像データを正しいページ順で取得できるという効果を奏する。
【００２１】
請求項５の発明によれば、製本印刷で印刷された原稿用紙を読み取ったときに１回の選択により、原稿の右綴じ、左綴じ、そして、原稿の読み取り装置への配置が判別され、原稿の画像データを正しいページ順で取得できるという効果を奏する。
【００２２】
請求項６の発明によれば、製本印刷で印刷された原稿用紙を読み取ったときに１回の選択により、原稿の右綴じ、左綴じ、そして、原稿の読み取り装置への配置が判別され、原稿の画像データを正しいページ順で取得できるという効果を奏する。
【図面の簡単な説明】
【００２３】
【図１】図１は画像読取装置１の構成を示すブロック図である。
【図２】図２は製本モードスキャンについて示す模式図である。
【図３】図３は製本印刷された印刷結果について示す模式図である。
【図４】図４は製本印刷された原稿が画像読取装置１にセットされるパターンを示す模式図である。
【図５】図５は画像読取装置１で行われる処理を示すフローチャートである。
【図６】図６は左綴じで製本印刷された原稿が１ページ目が最初に読み取られるようにセットされて画像読み取りされる処理等を示す模式図である。
【図７】図７はサムネール表示部１８で表示される画像データを示す模式図である。
【図８】図８はページ並べ替え参照テーブルを示す表である。
【発明を実施するための形態】
【００２４】
本発明に係る画像読取装置および画像読取プログラムについて添付図面を参照して説明を行う。
【００２５】
まず、画像読取装置１について図１を参照して説明を行う。
【００２６】
図１は、画像読取装置１の構成を示したブロック図である。
【００２７】
画像読取装置１は、図１に示すように、コントローラ２、画像読取部３、操作パネル４、記憶部２０を有する。
【００２８】
画像読取部３は、配置された原稿に対して光を照射して反射光を受光することにより原稿の画像データを取得する機能を有し、読取制御部１３、画像伝送部１４を有する。
【００２９】
読取制御部１３は、ＤＡＤＦ（Duplex Auto Document Feeder）を備えて、セットされた原稿の画像データを両面に亘り連続読取する。
【００３０】
画像伝送部１４は、読取制御部１３で取得された画像データをコントローラ２の画像一時保存部６に送る処理を行う。
【００３１】
また、コントローラ２は、画像処理やジョブ制御を行うコントロール基板であり、画像出力部５、画像一時保存部６、画像処理部７、ジョブ制御部１０を有する。
【００３２】
画像出力部５は、読み取ってページ順が正しく並び替えられた画像データを外部に出力する機能を有しており、例えば、画像読取装置１が接続されるネットワーク上のパーソナルコンピュータに出力処理したり、また、画像読取装置１が接続されるネットワーク上の印刷装置より印刷出力させる処理等を行う。
【００３３】
画像一時保存部６は、画像読取部３で読み取られて画像伝送部１４より送られる、画像読取部３にセットされた原稿の画像データを一時保存する処理を行う。
【００３４】
画像処理部７は、画像一時保存部６に一時保存された画像データに対して画像処理を行う。
【００３５】
そして、画像処理部７は、ページ分割機能８、ページ並べ替え機能９を有する。
【００３６】
ページ分割機能８は、製本印刷として印刷された原稿の画像データを画像読取部３より読み取った場合に、読み取った画像データを分割する処理を行う。製本印刷として印刷された原稿には用紙の一面に２ページ分の画像データが印刷されるので、それらを１枚の用紙から読み取った画像データより分割する処理が行われる。
【００３７】
ページ並べ替え機能９は、ページ分割機能８によって分割されて生成される１ページ分の画像データの並び順を、変更する処理を行う。
【００３８】
ジョブ制御部１０は、スキャンジョブ制御を行い、仮ページ番号付与機能１１、ページ順管理機能１２を有する。
【００３９】
仮ページ番号付与機能１１は、画像読取部３にセットされた原稿から読み取られて画像処理部９のページ分割機能８で分割された画像データに対して仮ページ番号を付与する。
【００４０】
ページ順管理機能１２は、操作パネルの１ページ目画像選択部１６によってユーザから選択された１ページ目の情報に基づき、画像読取部３にセットされた原稿から読み取られて画像処理部９のページ分割機能８で分割された画像データの本来のページ順番と、仮ページ番号との関連を把握する処理を行う。
【００４１】
また、操作パネル４は、液晶のタッチパネルで構成され、ユーザインタフェースとしての機能を有する。
【００４２】
そして、操作パネル４は、パラメータ入力部１５、表示部１７、スキャン指示部１９を有する。
【００４３】
パラメータ入力部１５は、１ページ目画像選択部１６を有して、１ページ目画像選択部１６はユーザからのページ選択を受付ける機能を有する。
【００４４】
表示部１７は、サムネール表示部１８を有して、サムネール表示部１８は、１ページ目となりうるページの画像データを操作パネル４に表示する機能を有する。
【００４５】
スキャン指示部１９は、画像読取部３にセットされた原稿の画像読取開始の指示をユーザから受け付け、コントローラのジョブ制御部１０に指示を送る。
【００４６】
記憶部２０は、分割された画像データを正しく並べ替える為の仮ページ番号の順番を記憶し、ページ並べ替え参照テーブル２０を記憶する。
【００４７】
このように構成される画像読取装置１では、製本印刷された原稿を読み取る製本スキャンモードを備える。
【００４８】
製本印刷とは、電子的な文書データを用紙に印刷する際に、用紙の表、裏にそれぞれ２ページ分の画像データを配置して印刷し（２−ＵＰ）、印刷出力された用紙を中央から綴じて２つに折ると本をめくるように順番に文書データが用紙上で確認される具合に画像データを配置して印刷処理する機能である。
【００４９】
つまり、文書データが製本印刷された用紙を半分に折って綴じれば、その文書データの冊子が出来上がる。
【００５０】
次に、画像読取装置１で行われる製本モードスキャンについて図２を参照して説明を行う。
【００５１】
図２は、画像読取装置１で行われる製本モードスキャンについて示した模式図である。
【００５２】
まず、図２に示すように、製本印刷によって印刷装置から用紙に印刷処理された印刷結果が、画像読取装置１の画像読取部３にセットされる（参照番号２０１）。
【００５３】
すると、画像読取装置１は、セットされた原稿を読み取る（参照番号２０２）。
【００５４】
そして、画像読取装置１は、読み取った原稿の画像データを画像処理して、製本印刷される前の文書データと同じ並び順の画像データを取得する。
【００５５】
次に、製本印刷された印刷結果について図３を参照して説明を行う。
【００５６】
図３は、製本印刷された印刷結果を示す模式図であり、図３（ａ）は製本印刷される電子的な文書データのページ毎に示す模式図であり、図３（ｂ）は図３（ａ）に示す文書データが左綴じで製本印刷された結果を示す模式図であり、図３（ｃ）は図３（ｂ）に示す製本印刷された結果物を束にして裏返した結果を示す模式図であり、図３（ｄ）は図３（ａ）に示す文書データが右綴じで製本印刷された結果を示す模式図であり、図３（ｅ）は図３（ｄ）に示す製本印刷された結果物を束にして裏返した結果を示す模式図である。
【００５７】
製本印刷される文書データの例として、図３（ａ）に示すように、ページ数が１２ページで、１ページ目から順番にアルファベットが「Ａ」から印刷されている文書データを使用して説明を行う。つまり、図３（ａ）に示すように、文書データの１ページの内容は「Ａ」、２ページの内容は「Ｂ」、３ページの内容は「Ｃ」、４ページの内容は「Ｄ」、５ページの内容は「Ｅ」、６ページの内容は「Ｆ」、７ページの内容は「Ｇ」、８ページの内容は「Ｈ」、９ページの内容は「Ｉ」、１０ページの内容は「Ｊ」、１１ページの内容は「Ｋ」、１２ページの内容は「Ｌ」である。
【００５８】
図３（ａ）を参照して説明した文書データが左綴じの製本印刷で印刷されると、図３（ｂ）に示すように、両面印刷で用紙の片面に２ページ分の画像データが印刷され、１枚目の表左側に「Ｌ」、１枚目の表右側に「Ａ」、１枚目の裏左側に「Ｂ」、１枚目の裏右側に「Ｋ」、２枚目の表左側に「Ｊ」、２枚目の表右側に「Ｃ」、２枚目の裏左側に「Ｄ」、２枚目の裏右側に「Ｉ」、３枚目の表左側に「Ｈ」、３枚面表右側に「Ｅ」、３枚目の裏左側に「Ｆ」、３枚目の裏右側に「Ｇ」が印刷される。
【００５９】
このように、印刷されて印刷装置から排紙された３枚の用紙を、１ページ目の「Ａ」が印刷されている面が冊子の１ページ目となるようにして２つに折って綴じると、文書データの１ページ目のＡから順番に文書データのページが確認される左綴じの冊子が作成される。
【００６０】
また、左綴じの製本印刷で排紙された用紙の束を、文書データの１ページ目が印刷された表紙面が最上面で確認される状態から、ひとまとめにして裏返すと、図３（ｃ）に示すように、３枚目の裏面（裏紙面）に印刷された「Ｆ」と「Ｇ」とが最上面で確認される（表紙面は鉛直方向下向きに向いている）。
【００６１】
また、図３（ａ）を参照して説明した文書データが右綴じの製本印刷で印刷されると、図３（ｄ）に示すように、両面印刷で用紙の片面に２ページ分の画像データが印刷され、１枚目の表左側に「Ａ」、１枚目の表右側に「Ｌ」、１枚目の裏左側に「Ｋ」、１枚目の裏右側に「Ｂ」、２枚目の表左側に「Ｃ」、２枚目の表右側に「Ｊ」、２枚目の裏左側に「Ｉ」、２枚目の裏右側に「Ｄ」、３枚目の表左側に「Ｅ」、３枚目の表右側に「Ｈ」、３枚目の裏左側に「Ｇ」、３枚目の裏右側に「Ｆ」が印刷される。
【００６２】
このように、印刷されて印刷装置から排紙された３枚の用紙を、１ページ目の「Ａ」が印刷されている面が冊子の１ページ目となるようにして２つに折って綴じると、文書データの１ページ目のＡから順番に文書データのページが確認される右綴じの冊子が作成される。
【００６３】
また、右綴じの製本印刷で排紙された用紙の束を、文書データの１ページ目が印刷された表紙面が最上面で確認される状態から、ひとまとめにして裏返すと、図３（ｅ）に示すように３枚目の裏面（裏紙面）に印刷された「Ｇ」と「Ｆ」とが最上面で確認される（表紙面は鉛直方向下向きに向いている）。
【００６４】
このように、文書データが製本印刷された結果、文書データの１ページ目が印刷されている面を表紙面と呼び、また、図３（ｃ）、図３（ｅ）に示すように、製本印刷された印刷結果の用紙束が、表紙面が鉛直方向下向きに向くように位置させた場合に鉛直方向上向きに向いている最上面を裏紙面と呼ぶ。
【００６５】
つまり、製本印刷された結果の用紙を束にした状態で、表紙面と裏紙面とは、用紙束の最上面である鉛直方向上向きに向いている面、または、用紙束の最下面である鉛直方向下向きに向いている面となる。
【００６６】
それで、製本印刷で排紙された状態のまま原稿をひとまとめにして（束にして）裏返すと、裏返す前に表紙面が最上面にあった場合には裏返した後には裏紙面が最上面に現れ、また、裏返す前に裏紙面が最上面にあった場合には裏返した後には表紙面が最上面に現れる。
【００６７】
次に、製本印刷された印刷結果（原稿）が画像読取装置１にセットされるパターンについて図４を参照して説明を行う。
【００６８】
図４は画像読取装置１にセットされる原稿（製本印刷されたもの）について示す模式図であり、図４（ａ）は左綴じ原稿の１ページ目が印刷された面が最初に画像読み取りされるようにセットされた様子を示す模式図であり、図４（ｂ）は図４（ａ）を参照して説明した左綴じの原稿がひとまとめに裏返しされて画像読取部３にセットされる様子を示す模式図であり、図４（ｃ）は右綴じ原稿の１ページ目が印刷された面が最初に画像読み取りされるようにセットされた様子を示す模式図であり、図４（ｄ）は図４（ｃ）を参照して説明した右綴じの原稿がひとまとめに裏返しされて画像読取部３にセットされる様子を示す模式図である。
【００６９】
図４（ａ）に示すように、左綴じ原稿の１ページ目が印刷された面（表紙面）が最初に画像読み取りされるようにセットされると、文書データの１ページ目は、最初に画像読み取りされる面の右側に位置するようになる。
【００７０】
また、図４（ｂ）に示すように、図４（ａ）を参照して説明した左綴じ原稿がひとまとめに裏返しされて画像読取部３にセットされると、文書データの１ページ目は、最後に画像読み取りされる面の右側に位置するようになる。
【００７１】
また、図４（ｃ）に示すように、右綴じ原稿の１ページ目が印刷された面が最初に画像読み取りされるようにセットされると、文書データの１ページ目は、最初に画像読み取りされる面の左側に位置するようになる。
【００７２】
また、図４（ｄ）に示すように、図４（ｃ）を参照して説明した右綴じ原稿がひとまとめに裏返しされて画像読取部３にセットされると、文書データの１ページは、最後に画像読み取りされる面の左側に位置するようになる。
【００７３】
このように、製本印刷された印刷物が画像読取部３にセットされるパターンは左綴じ原稿が２種類、右綴じ原稿が２種類存在するが、本発明に係る画像読取装置１は、いずれのパターンにも対応して、セットされた製本印刷された印刷物について、製本印刷される文書データの画像データをそのページ順と同じ順番で取得することができる。
【００７４】
次に、画像読取装置１で行われる処理について図５を参照して説明を行う。
【００７５】
図５は、画像読取装置１で行われる処理について示したフローチャートである。
【００７６】
図５に示すフローチャートでは、例えば、図３（ａ）を参照して説明したページ数が１２ページの文書データが製本印刷された印刷物が画像読取部３にセットされたものとして説明する。セットされる印刷物は左綴じ或いは右綴じで製本印刷されたものである。尚、画像読取装置１は、文書データが１２ページ以外で構成される製本印刷された印刷物にも、もちろん対応できる。
【００７７】
図５に示すように、画像読取装置１では、画像読取部３に原稿がセットされ製本モードスキャンが指示されると、画像読取部３にセットされた原稿（用紙３枚で構成される製本印刷された印刷物）が画像読取制御部１３によって、両面スキャンされる（ステップ５０１）。
【００７８】
原稿の画像読取部３へのセットのパターンについては、図４を参照して説明したように４パターンあるが、ここでは、図４（ａ）に示すように、左綴じ原稿の１ページ目が最初に画像読み取りされるようにセットされた場合を例に説明する（図６（ａ）に示すパターンも同じ）。
【００７９】
図４（ａ）、図６（ａ）に示すように、文書データの１ページ目（「Ａ」）が最初に画像読み取りされる面の右側にくるようにセットされると、セットされた原稿が画像読み取りされた結果は、図６（ｂ）に示すように、１枚目おもて面左側に「Ｌ」、１枚目おもて面右側に「Ａ」、１枚目うら面左側に「Ｂ」、１枚目うら面右側に「Ｋ」、２枚目おもて面左側に「Ｊ」、２枚目おもて面右側に「Ｃ」、２枚目うら面左側に「Ｄ」、２枚目うらて面右側に「Ｉ」、３枚目おもて面左側に「Ｈ」、３枚目おもて面右側に「Ｅ」、３枚目うら面左側に「Ｆ」、３枚目裏面右側に「Ｇ」である。
【００８０】
ここでは、画像読み取りされる用紙の右側より用紙の左側の方が先に画像読み取りされるものとして説明する。
【００８１】
そして、読み取られた全画像データは、画像一時保存部６に一時保存され（ステップ５０２）、画像処理部７に送られ、ページ分割機能８によって、読み取られた画像データの分割が行われる（ステップ５０３）。
【００８２】
ステップ５０３で行われるページ分割は、図６（ｃ）に示すように、読み取られた画像データが２分割されて、製本印刷で印刷された文書データのそれぞれのページの画像が取得されるように行われる。
【００８３】
画像データの分割が行われると、図６（ｄ）に示すように、その画像データに対して読み取られた順番に仮ページ番号が付与される（ステップ５０４）。
【００８４】
仮ページ番号の付与は、図６（ｄ）に示すように、１枚の画像データから分割された画像データは、分割された左側の画像データから右側の画像データとなるような順番で付与される。
【００８５】
また、仮ページ番号の付与は、ジョブ制御部１０の仮ページ番号付与機能１１によって行われる。
【００８６】
分割された画像データに仮ページ番号が付与されると、ジョブ制御部１０は、サムネール表示部１８に、最初に読み取った原稿（１枚目のおもて）に配置されていた２つの画像データと、最後に読み取った原稿（３枚目のうら）に配置されていた２つの画像データとを、図７（ａ）に示すようにサムネール表示させる（ステップ５０５）。
【００８７】
ステップ５０５でサムネール表示される画像データは、図６（ｄ）に示す例では、参照番号６０１で示す「Ｌ」、「Ａ」と参照番号６０２で示す「Ｆ」、「Ｇ」とである。  
サムネール表示部１８へのサムネール表示は、ユーザに４つの画像データから先頭のページとなる画像データを選択させる為であり、図７（ａ）に示すように同時に４つの画像データが表示されてもよいし、また、図７（ｂ）に示すように１つずつ順番に画像データが表示されてもよい。
【００８８】
ユーザは、サムネール表示部１８に表示された画像データから、画像読取部３にセットした原稿の印刷元である文書データの、１ページ目の画像データを選択する。
【００８９】
すると、１ページ目画像選択部１６はユーザによって選択された画像データを受け付ける（ステップ５０６）。
【００９０】
１ページ目画像選択部１６によって受付けられた画像データに付与された仮ページ番号がジョブ制御部１０に送られる。
【００９１】
この場合には、ユーザはサムネール表示部１８から「Ａ」の画像を選択するので、「Ａ」に付与された仮ページ番号「２」がジョブ制御部１０に送られる。
【００９２】
ジョブ制御部１０は、ユーザに選択された画像データの仮ページ番号を取得すると、その画像データは、最初に読み取った画像データか（仮ページ番号が１或いは２）、それとも最後に読み取った画像データか（仮ページ番号が１１或いは１２）を判別し（ステップ５０７）、さらに、原稿の右側に配置された画像データか左側に配置された画像データかを判別する（ステップ５０８やステップ５０９）。
【００９３】
ユーザに選択された画像データが、最初に読み取られた画像データで原稿の右側に配置された画像データである場合には（ステップ５０７でＹＥＳ、ステップ５０８でＹＥＳ。仮ページ番号は２。）、図４（ａ）に示すように、１ページ目がある表紙面から画像読み取りされて（ステップ５０７でＹＥＳより）左綴じ原稿（ステップ５０８でＹＥＳより）であるので、正しいページ順は仮ページ番号が２、３、６、７、１０、１１、１２、９、８、５、４、１の順番となり（ステップ５１０）、その順番に、ページ分割機能８によって分割された画像データを並べ替える（ステップ５１４）。
【００９４】
また、ユーザに選択された画像データが、最初に読み取られた画像データで原稿の左側に配置された画像データである場合には（ステップ５０７でＹＥＳ、ステップ５０８でＮＯ。仮ページ番号は１。）、図４（ｃ）に示すように、１ページ目がある表紙面から画像読み取りされて（ステップ５０７でＹＥＳより）右綴じ原稿（ステップ５０８でＮＯより）であるので、正しいページ順は、仮ページ番号が１、４、５、８、９、１２、１１、１０、７、６、３、２の順番となり（ステップ５１１）、その順番に、ページ分割機能８によって分割された画像データを並べ替える（ステップ５１４）。
【００９５】
また、ユーザに選択された画像データが、最後に読み取られた画像データで原稿の右側に配置された画像データである場合には（ステップ５０７でＮＯ、ステップ５０９でＹＥＳ。仮ページ番号は１２。）、図４（ｂ）に示すように、１ページ目が最後に読み取られるように画像読み取りされて（ステップ５０７でＮＯより）左綴じ原稿（ステップ５０９でＹＥＳより）であるので、正しいページ順は、仮ページ番号が１２、９、８、５、４、１、２、３、６、７、１０、１１の順番となり（ステップ５１２）、その順番に、ページ分割機能８によって分割された画像データを並べ替える（ステップ５１４）。
【００９６】
また、ユーザに選択された画像データが、最後に読み取られた画像データで原稿の左側に配置された画像データである場合には（ステップ５０７でＮＯ、ステップ５０９でＮＯ。仮ページ番号は１１。）、図４（ｄ）に示すように、１ページ目が最後に読み取られるように画像読み取りされて（ステップ５０７でＮＯより）右綴じ原稿（ステップ５０９でＮＯより）であるので、正しいページ順は、仮ページ番号が１１、１０、７、６、３、２、１、４、５、８、９、１２の順番となり（ステップ５１３）、その順番に、ページ分割機能８によって分割された画像データを並べ替える（ステップ５１４）。
【００９７】
このようにサムネール表示部１８より１ページ目の画像データが選択されることによって、ジョブ制御部１０のページ順管理機能１２は、原稿の画像読取部３へのセットのされ方と原稿の綴じ方向（左綴じ或いは右綴じ）とを判別し、正しく並べ替える為の仮ページ番号の順番を記憶部２０より取得する。
【００９８】
ジョブ制御部１０は正しく並べ替える為の仮ページ番号の順番を取得して画像処理部７に送り、そして、ページ並べ替え機能９によって、分割された画像データの並べ替えが行われる。
【００９９】
このようにしてページ順が並べ替えられた画像データは保存され（ステップ５１４）、画像一時保存部６から画像出力部５に送られて、画像出力部５より出力される（ステップ５１５）。
【０１００】
ここで、ジョブ制御部１０が正しいページ順を取得する処理は、ユーザにサムネール表示部１８から選択された画像データが最初に画像読み取りされたか或いは最後に画像読み取りされたか（ステップ５０７）また原稿の右側に配置されたか或いは左側に配置されたか（ステップ５０８やステップ５０９）を判別する処理だけでなく、サムネール表示部１８から選択された画像データに付与された仮ページ番号に基づき取得されてもよい。
【０１０１】
記憶部２０にはページ並べ替え参照テーブルが記憶されている。
【０１０２】
図８は、ページ並べ替え参照テーブルを示す表である。
【０１０３】
ページ並べ替え参照テーブルは、図８に示すように、項目として、文書データの総ページ数（画像処理部７のページ分割機能８によって分割された画像データの総ページ数）を示す「分割後のページ数」と、ユーザにサムネール表示部１８から選択された画像データの仮ページ番号を示す「指定される仮ページ番号」と、分割後の画像データを正しい順番に並べ替える為の仮ページ番号の順番を示す「正しく並べ替える為の仮ページ番号の順番」とがある。
【０１０４】
このようなページ並べ替え参照テーブルを使って、ジョブ制御部１０は、ページ分割機能８によって分割された画像データの総ページ数と、サムネール表示部１８から選択された画像データの仮ページ番号とに基づき、正しく並べ替える為の仮ページ番号の順番を取得することができる。
【０１０５】
また、正しく並べ替える為の仮ページ番号の順番は、以下のようにして求められる。
【０１０６】
例えば、図３（ａ）を参照して説明した、１２ページで１ページ目からページ毎に順番に「Ａ」からアルファベットが順番に表示される文書データが左綴じで製本印刷された場合について説明する。
【０１０７】
図３（ａ）を参照して説明した文書データが左綴じで製本印刷された原稿が１ページ目が最初に読み取られるように画像読取部３にセットされて（図６（ａ））画像読み取りが行われると、読み取られる画像データは、図６（ｂ）に示すように、１枚目表左側に「Ｌ」、１枚目表右側に「Ａ」、１枚目裏左側に「Ｂ」、１枚目裏右側に「Ｋ」、２枚目表左側に「Ｊ」、２枚目表右側に「Ｃ」、２枚目裏左側に「Ｄ」、２枚目裏右側に「Ｉ」、３枚目表左側に「Ｈ」、３枚目表右側に「Ｅ」、３枚目裏左側に「Ｆ」、３枚目裏右側に「Ｇ」となり、そして、ページ分割機能８によって分割された画像データは図６（ｄ）に示すように読み取られた順番に「Ｌ」、「Ａ」、「Ｂ」、「Ｋ」、「Ｊ」、「Ｃ」、「Ｄ」、「Ｉ」、「Ｈ」、「Ｅ」、「Ｆ」、「Ｇ」となり、そして、それらの画像データに仮ページ番号付与機能１１によって仮ページ番号が付与されると図６（ｄ）に示すように「Ｌ」（仮ページ番号：１）、「Ａ」（仮ページ番号：２）、「Ｂ」（仮ページ番号：３）、「Ｋ」（仮ページ番号：４）、「Ｊ」（仮ページ番号：５）、「Ｃ」（仮ページ番号：６）、「Ｄ」（仮ページ番号：７）、「Ｉ」（仮ページ番号：８）、「Ｈ」（仮ページ番号：９）、「Ｅ」（仮ページ番号：１０）、「Ｆ」（仮ページ番号：１１）、「Ｇ」（仮ページ番号：１２）となる。
【０１０８】
読み取られた画像データの本来のページ順番（文書データの正しいページの並び順）は、図３（ａ）を参照して説明したように、アルファベット順に、「Ａ」、「Ｂ」、「Ｃ」、「Ｄ」、「Ｅ」、「Ｆ」、「Ｇ」、「Ｈ」、「Ｉ」、「Ｊ」、「Ｋ」、「Ｌ」であるので、仮ページ番号が付与された画像データを文書データにおける正しいページの並び順に並べ替えると、図６（ｅ）に示すように、「Ａ」（仮ページ番号：２）、「Ｂ」（仮ページ番号：３）、「Ｃ」（仮ページ番号：６）、「Ｄ」（仮ページ番号：７）、「Ｅ」（仮ページ番号：１０）、「Ｆ」（仮ページ番号：１１）、「Ｇ」（仮ページ番号：１２）、「Ｈ」（仮ページ番号：９）、「Ｉ」（仮ページ番号：８）、「Ｊ」（仮ページ番号：５）、「Ｋ」（仮ページ番号：４）、「Ｌ」（仮ページ番号：１）となるので、ページ数が１２ページの文書データで、１ページ目が最初に読み取られた画像データの右側にある場合には、読み取って分割された画像データを正しいページの並び順に並べ替えるには、正しいページの並び順に並べられた状態の仮ページ番号の順番に基づいて、仮ページ番号の順番が図６（ｆ）に示すように「２」、「３」、「６」、「７」、「１０」、「１１」、「１２」、「９」、「８」、「５」、「４」、「１」とすればよいことが判明される。
【０１０９】
また、画像読取部３にセットされる原稿が、左綴じで文書データの１ページ目が最後に読み取られる場合や、右綴じで文書データの１ページ目が最初に読み取られる場合や、右綴じで文書データの１ページ目が最後に読み取られる場合にも、左綴じで文書データの１ページ目が最初に読み取られる場合と同様に、分割された画像データを正しく並べ替える為の仮ページ番号の順番は判明される。
【０１１０】
このように、分割された画像データを正しく並べ替える為の仮ページ番号の順番は、分割された後の画像データのページ数（或いは文書データの総ページ数）と文書データの最初のページに付与された仮ページ番号と毎に「正しく並べ替える為の仮ページ番号の順番」として記憶部２０に記憶されている。
【０１１１】
尚、１２ページ以外のページ数の文書データが製本印刷された印刷物が画像読取部３にセットされた場合には、ステップ５１０或いはステップ５１１或いはステップ５１２或いはステップ５１３では、セットされた印刷物から画像読み取りされて分割されたページ数とサムネール表示部１８から選択された画像データの仮ページ番号とに基づきページ並べ替え参照テーブルが参照されて「正しく並べ替える為の仮ページ番号の順番」が取得され、正しい順番でページが並べ替えられる。
【０１１２】
尚、製本印刷された印刷物の画像読取部３への配置の向きによって、図７を参照して説明したサムネール表示部１８に表示される画像データが上下が逆になっているとユーザから指摘されたときには、その指摘を操作パネル４より受付けて、画像読み取りした全画像データを画像処理部７で正立処理させて、その後ページ分割機能８により分割されて、仮ページ番号付与機能１１により仮ページ番号が付与されて、再度サムネール表示部１８にサムネール表示が行われて処理が続けられるように構成される。
【産業上の利用可能性】
【０１１３】
この発明は、画像読取装置および画像読取プログラムにおいて利用可能である。
【０１１４】
また、上記実施の形態の機能を実現するためのソフトウェアのプログラムが記録されている記憶媒体を供給し、通信装置などで記憶媒体に格納されたプログラムを読み出し実行することによっても、上記実施の形態と同様の効果を奏する。  プログラムを供給するための記憶媒体としては、例えば、ＣＤ−ＲＯＭ（Compact Disk Read Only Memory）、ＤＶＤ（Digital Versatile Disk）、及びＳＤカード（Secure Digital memory card）などや、プログラムを供給するサーバなどであっても良い。
【符号の説明】
【０１１５】
１    画像読取装置
３    画像読取部
７    画像処理部
８    ページ分割機能
９    ページ並べ替え機能
１０    ジョブ制御部
１１    仮ページ番号付与機能
１２    ページ順管理機能
１６    １ページ目画像選択部
１８    サムネール表示部
【図１】
0005445928.tif 000002
【図２】
0005445928.tif 000003
【図３】
0005445928.tif 000004
【図４】
0005445928.tif 000005
【図５】
0005445928.tif 000006
【図６】
0005445928.tif 000007
【図７】
0005445928.tif 000008
【図８】
0005445928.tif 000009